(57)【要約】      （修正有）【課題】袋体にラミネート加工が必要な使用態様であっても、袋体の全面にラミネート加工を必要としない包装用袋を提供する。【解決手段】包装用袋１０を、周壁部２０と、周壁部２０の下端に連接される底部３０と、周壁部２０の上端側に設けられる開口部５０と、周壁部２０から上方に向かって延設される蓋部７０と、を有して袋状に形成された袋体１３と、袋体１３の外側に配設されるカバー部４０と、底部３０及び周壁部２０の下端部の内側に配設される不織布と、底部３０及び周壁部２０の外側において印刷が施された印刷部と、を有する構成とする。【選択図】図３
0003180929.tif 000002
【実用新案登録請求の範囲】
【請求項１】
折り畳んだ状態において平坦となり、収納物を収納する状態において立体形状となり、自立可能に形成される包装用袋であって、
周壁部と、前記周壁部の下端に連接されガゼット形状に前記周壁部の内側に折り曲げられる底部と、前記周壁部の上端側に設けられた開口部と、を有して袋状に形成された袋体を有し、
前記袋体の少なくとも一部には、外側から重ね合わせられるカバー部が配設され、
前記カバー部は、折り畳んだ状態で重ね合わせられる前記周壁部又は／及び前記底部と同幅に形成され、
前記カバー部の左右の側端部は、重ね合わせられる前記周壁部又は／及び前記底部に接着されていることを特徴とする包装用袋。
【請求項２】
前記袋体及び前記カバー部が、防曇性を有する合成樹脂で形成されていることを特徴とする請求項１記載の包装用袋。
【請求項３】
前記周壁部又は／及び前記底部の外側には、印刷が施される印刷部が設けられ、
前記カバー部が、少なくとも前記印刷部を覆うように配置されていることを特徴とする請求項１又は２記載の包装用袋。
【請求項４】
前記底部は、折り畳んだ状態で前記周壁部と同幅の矩形状に形成され、
前記底部の左右の側端部は、それぞれ、前記周壁部に接着され、
前記周壁部の左右の側端部において、前記底部と接着されていない部分は、前記周壁部の前側部と後側部とが接着され、
前記カバー部が、折り畳んだ状態で前記周壁部と同幅の矩形状に形成され、前記底部と、少なくとも前記周壁部の前記底部側と、を覆うように配設されていることを特徴とする請求項１、２又は３記載の包装用袋。
【請求項５】
折り畳んだ状態で前記底部と前記周壁部との境界部分に形成される一対の谷折り線のいずれか一方が、他方の前記谷折り線より上側に位置していることを特徴とする請求項１、２、３又は４記載の包装用袋。
【請求項６】
前記底部及び前記周壁部の下端部の内側には、吸油性又は／及び吸水性を有する不織布が配設されていることを特徴とする請求項１、２、３、４又は５記載の包装用袋。
【考案の詳細な説明】
【技術分野】
【０００１】
本考案は、食品等を店頭に陳列する際に使用する包装用袋に関する。
【背景技術】
【０００２】
食品等を店頭に陳列する際に使用する包装用袋として、本出願人が先にした特許文献１に記載されるものがある。これによれば、上部が開口し、自立可能となるような底面を有する透明合成樹脂製の袋体の下部内面に、吸水性吸油性の双方又はいずれか一方を有する合成樹脂系不織布を積層し、不織布の少なくとも上縁部を袋体と接着して構成されていた。
【０００３】
これにより、食品の陳列のための食品の盛り付け、包装作業を一層容易化するとともに、食品の陳列用途に相応しい見映えのする包装用袋が得られていた。
【先行技術文献】
【特許文献】
【０００４】
【特許文献１】特開２００７−３０８１９９号公報
【考案の概要】
【考案が解決しようとする課題】
【０００５】
しかし、上記包装用袋では表面保護、耐久性の向上等の要請から、袋体にラミネート加工をすることがある。その場合、袋体の一部にのみラミネート加工が必要な場合であっても、加工上の制約から袋体の全面にラミネート加工を施すことになり、製造工数及び材料費の増加が生じるので、さらなる改善が望まれていた。
【０００６】
また、袋体の全面にラミネート加工することによる熱、接着剤等の影響で防曇性を有する合成樹脂の防曇性が損なわれていた。
【０００７】
本考案は、上記事情に鑑み、袋体にラミネート加工が必要な使用態様であっても、袋体の全面にラミネート加工を必要としない包装用袋を提供することを目的とする。
【課題を解決するための手段】
【０００８】
請求項１記載の考案では、折り畳んだ状態において平坦となり、収納物を収納する状態において立体形状となり、自立可能に形成される包装用袋であって、周壁部と、周壁部の下端に連接されガゼット形状に周壁部の内側に折り曲げられる底部と、周壁部の上端側に設けられた開口部と、を有して袋状に形成された袋体を有し、袋体の少なくとも一部には、外側から重ね合わせられるカバー部が配設され、カバー部は、折り畳んだ状態で重ね合わせられる周壁部又は／及び底部と同幅に形成され、カバー部の左右の側端部は、重ね合わせられる周壁部又は／及び底部に接着されている。
【０００９】
カバー部を袋体の外側に重ね合わすことにより、表面保護、耐久性の向上等の要請があり、袋体にラミネート加工が必要な使用態様であっても、措置が必要な部分を選択してカバー部で代替することで、袋体の全面にラミネート加工することをなくすことができる。よって、製造工数を削減することができる。
【００１０】
さらに、カバー部を、カバー部の左右の側端部で重ね合わされる周壁部又は／及び底部に接着することで、袋体の全面でカバー部を接着する場合に比べ少ない接着面積でカバー部を接着できるので、製造コストの削減をすることができる。
【００１１】
また、袋体及びカバー部を、防曇性を有する合成樹脂で形成してカバー部の左右の側端部で接着するようにすれば、袋体の全面にラミネート加工したならば受けていた熱、接着剤等の影響が無くなるので、防曇性を損なわないことに寄与する。特に、生鮮食品や揚げ物等の総菜を包装する使用態様において有効なものとなる。
【００１２】
また、周壁部又は／及び底部の外側に、印刷が施される印刷部を設け、カバー部を、少なくとも印刷部を覆うように配置すれば、包装用袋に商品名、商品説明等を印刷して使用する場合に、収納物の収納作業時の接触等による印刷の色落ち、はがれ等を防止することができる。
【００１３】
また、底部は、折り畳んだ状態で周壁部と同幅の矩形状に形成され、底部の左右の側端部は、それぞれ、周壁部に接着され、周壁部の左右の側端部において、底部と接着されていない部分は、周壁部の前側部と後側部とが接着され、カバー部が、折り畳んだ状態で周壁部と同幅の矩形状に形成され、底部と、少なくとも周壁部の底部側と、を覆うように配設されている。
【００１４】
これによれば、特に、防曇性の要求、印刷が施される度合いが高い底部と周壁部の底部側とをカバー部で覆うことで、使用態様に応じて適切に対応することができる。
【００１５】
また、折り畳んだ状態で底部と周壁部との境界部分に形成される一対の谷折り線のいずれか一方を、他方の谷折り線より上側に位置させれば、収納物を収納した自立状態において、上側に位置していた谷折り線側に傾斜するので、包装用袋を平台に陳列したときに、人の目線に訴求することができる。
【００１６】
また、底部及び周壁部の下端部の内側に、吸油性又は／及び吸水性を有する不織布を配設すれば、油分又は／及び水分を有している生鮮食品や揚げ物等の総菜を収納する場合に、油分又は／及び水分を吸収して保存状態を良好なものとすることができる。
【図面の簡単な説明】
【００１７】
【図１】本考案における一実施形態の包装用袋の分解展開図である。
【図２】同実施形態の包装用袋の展開図である。
【図３】同実施形態の包装用袋の正面図である。
【図４】図３におけるＩＶ−ＩＶ間断面図である。
【図５】収納物を収納した状態の斜視図である。
【図６】収納物を収納した状態の右側面図である。
【考案を実施するための形態】
【００１８】
本考案の包装用袋の第一の実施形態について図面に基づいて説明する。以下の説明において、各図面に記載される矢印の、前を前、後を後ろ、右を右、左を左、上を上、下を下、とする。また、説明のため、図３、５においては印刷部８０を省略してある
包装用袋１０は、図３〜６に示すように、周壁部２０と、周壁部２０の下端に連接される底部３０と、周壁部２０の上端側に設けられる開口部５０と、周壁部２０から上方に向かって延設される蓋部７０と、を有して袋状に形成された袋体１３と、袋体１３の外側に配設されるカバー部４０と、底部３０及び周壁部２０の下端部の内側に配設される不織布６０と、底部３０及び周壁部２０の外側において印刷が施された印刷部８０と、を有している。
【００１９】
図１〜２は、包装用袋１０の内側と正対する展開図であり、図１においては、各部材の上下方向の位置を対応させてある。
【００２０】
包装用袋１０は、図１〜２に示す展開状態においては、袋体１３を構成する合成樹脂フィルムＦと、カバー部４０と、不織布６０と、を有している。
【００２１】
袋体１３は、無色透明で可撓性及び防曇性を有する略矩形状の合成樹脂フィルムＦで形成され、底部３０と周壁部２０との境界部分に谷折り線１１ａ、１１ｂが形成され、谷折り線１１ａ、１１ｂの間に山折り線１２が形成されている。なお、本実施形態おいては、山折り、谷折りは、図４における山折り、谷折りをいう。山折り線１２から谷折り線１１ａまでの長さＬ１と、山折り線１２から谷折り線１１ｂまでの長さＬ２とは、Ｌ１＞Ｌ２となるように形成されている。
【００２２】
底部３０は、合成樹脂フィルムＦ１の谷折り線１１ａ、１１ｂで挟まれた矩形状の部分で構成されている。
【００２３】
周壁部２０は、底部３０の上下方向にそれぞれ連接する矩形状の部分で構成されている。
【００２４】
蓋部７０は、下側の周壁部２０の後述する前側部１３ａから下方（折り畳んだ状態における上方）に延設され、左右の側端部７０ａ、７０ｂの下側が切り取られた台形状に形成されている。
【００２５】
印刷部８０は、底部３０及び周壁部２０の後側（折り畳んだ状態における外側）の面に設けられ、既存の方法で製品名、品質表示等の印刷が施されている。図１であらわすと薄墨部分で示す部分となる。
【００２６】
カバー部４０は、無色透明で可撓性及び防曇性を有する略矩形状の合成樹脂フィルムＦ２で形成され、周壁部２０及び底部３０と同幅の矩形状に形成され、印刷部８０を外側から覆い可能な面積を有している。
【００２７】
不織布６０は、吸油性及び吸水性を有する部材で、周壁部２０及び底部３０と同幅の矩形状に形成され、底部３０及び周壁部２０の底部３０側の部分を内側から覆い可能な面積を有している。
【００２８】
包装用袋１０の製造方法について説明する。
【００２９】
不織布６０を、合成樹脂フィルムＦ１の底部３０及び周壁部２０の底部３０側の部分（特許請求の範囲の周壁部の下端部）の前側（折り畳んだ状態における内側）の面に重ね合わせ、左右の側端部６０ａ、６０ｂで、重ね合わせられる周壁部２０及び底部３０の左右の側端部２０ａ、２０ｂ、３０ａ、３０ｂとそれぞれ接着して、上下の端部において、左右方向に沿って周壁部２０と接着する。なお、「接着」とは、熱溶着を含むものとする。
【００３０】
次に、カバー部４０を、印刷部８０を後側（折り畳んだ状態における外側）から覆うように重ね合わせ、左右の側端部６０ａ、６０ｂで、重ね合わせられる周壁部２０及び底部３０の左右の側端部２０ａ、２０ｂ、３０ａ、３０ｂとそれぞれ接着する。
【００３１】
上記の工程を経て、図２に示すような、三層に重ね合わされた状態の多層フィルム体Ｆ３が形成される。
【００３２】
そして、一枚の多層フィルム体Ｆ３の底部３０を、底部３０と重なり合うカバー部４０及び不織布６０とともに谷折り線１１ａ、１１ｂ及び山折り線１２に沿って、ガゼット形状に周壁部２０の内側に折り曲げて重ね合わせ、多層フィルム体Ｆ３の左右の側端部を接着（シール）して、図３〜４に示すような、底部３０と周壁部２０と開口部５０と有する袋状に形成された袋体１３を有する包装用袋１０が、完成する。
【００３３】
詳説すれば、折り曲げられて一番内側に配置され対向する不織布６０の左右それぞれの側端部６０ａ、６０ｂどうしを接着して、折り曲げられて一番外側に配置される対向するカバー部４０の左右それぞれの側端部４０ａ、４０ｂどうしを接着する。
【００３４】
換言すれば、重なり合う不織布６０の左の側端部６０ａと、底部３０の左の側端部３０ａと、周壁部２０の左の側端部２０ａと、カバー部４０の左の側端部４０ａとを接着して、重なり合う不織布６０の右の側端部６０ｂと、底部３０の右の側端部３０ｂと、周壁部２０の右の側端部２０ｂと、カバー部４０の右の側端部４０ａを接着して、一体化した接着部分Ｓがそれぞれ形成されている。
【００３５】
完成した包装用袋１０の袋体１３の底部３０以外の、前側となる部分が前側部１３ａとされ、後側となる部分が後側部１３ｂとされている。
【００３６】
周壁部２０の左右の側端部２０ａ、２０ｂにおいて、不織布６０と接着されていない部分は、周壁部２０の前側部１３ａと後側部１３ｂとが接着されている。
【００３７】
包装用袋１０は、図３、４に示すように、折り畳んだ状態では、山折り線１２から谷折り線１１ａまでの長さＬ１と、山折り線１２から谷折り線１１ｂまでの長さＬ２とは、Ｌ１＞Ｌ２となるように形成されているので、底部３０と周壁部２０との境界部分に形成される谷折り線１１ｂが、他方の谷折り１１ａ上側に位置することとなる。
【００３８】
包装用袋１０を立体形状にして使用する方法について説明する。
【００３９】
図５〜６に示すように、包装用袋１０を折り畳んだ状態から、折り曲げられている山折り線１２部分を押し込んで底部３０を広げるとともに、底部３０の左右の側端部３０ａ、３０ｂを上側に折り曲げて、包装用袋１０は、収納物Ｐを収納して自立可能な立体形状となる、収納物Ｐを開口部５０から収納して、蓋部７０を下側に折り曲げ、後側の周壁部２０にテープ等で止めて開口部５０を閉じる。そして、底部３０を下にして陳列台Ｂに陳列する。
【００４０】
この状態では、包装用袋１０は、山折り線１２から谷折り線１１ａまでの長さＬ１と、山折り線１２から谷折り線１１ｂまでの長さＬ２とは、Ｌ１＞Ｌ２となるように形成されているので、左右方向からみて、包装用袋１０の左右の端部の接着部分Ｓの下端と、谷折り線１１ｂとでは、上下方向における高低差が生じて図６に示すように、後側に傾斜することとなる。特に、人の目線より低い位置に包装用袋１０を陳列した場合に、収納物Ｐを見やすくするとともに、印刷部８０の印刷を見やすくする効果が期待できる。
【００４１】
上記構成の包装用袋１０では、折り畳んだ状態において平坦となり、収納物Ｐを収納する状態において立体形状となり、自立可能に形成される包装用袋であって、周壁部２０と、周壁部２０の下端に連接されガゼット形状に周壁部２０の内側に折り曲げられる底部３０と、周壁部２０の上端側に設けられた開口部５０と、を有して袋状に形成された袋体１３を有し、袋体１３の少なくとも一部には、外側から重ね合わせられるカバー部４０が配設され、カバー部４０は、折り畳んだ状態で重ね合わせられる周壁部２０及び底部３０と同幅に形成され、カバー部４０の左右の側端部４０ａ、４０ｂは、重ね合わせられる周壁部２０及び底部３０に接着されている。
【００４２】
カバー部４０を袋体１３の外側に重ね合わすことにより、表面保護、耐久性の向上等の要請があり、袋体１３にラミネート加工が必要な使用態様であっても、措置が必要な部分を選択してカバー部４０で代替することで、袋体１３の全面にラミネート加工することをなくすことができる。よって、製造工数を削減することができる。
【００４３】
さらに、カバー部４０を、カバー部４０の左右の側端部４０ａ、４０ｂで重ね合わされる周壁部２０及び底部３０に接着することで、袋体１３の全面でカバー部４０を接着する場合に比べ少ない接着面積でカバー部４０を接着できるので、製造コストの削減をすることができる。
【００４４】
また、袋体１３及びカバー部４０を、防曇性を有する合成樹脂で形成してカバー部４０の左右の側端部４０ａ、４０ｂで接着することで、袋体１３の全面にラミネート加工したならば受けていた熱、接着剤等の影響が無くなるので、防曇性を損なわないことに寄与する。特に、生鮮食品や揚げ物等の総菜を包装する使用態様において有効なものとなる。
【００４５】
また、周壁部２０及び底部３０の外側に、印刷が施される印刷部８０を設け、カバー部４０を、少なくとも印刷部８０を覆うように配置しているので、包装用袋１０に商品名、商品説明等を印刷して使用する場合に、収納物Ｐの収納作業時の接触等による印刷の色落ち、はがれ等を防止することができる。
【００４６】
また、底部３０は、折り畳んだ状態で周壁部２０と同幅の矩形状に形成され、底部３０の左右の側端部３０ａ、３０ｂは、それぞれ、周壁部２０に接着され、周壁部２０の左右の側端部２０ａ、２０ｂにおいて、底部３０と接着されていない部分は、周壁部２０の前側部１３ａと後側部１３ｂとが接着され、カバー部４０が、折り畳んだ状態で周壁部２０と同幅の矩形状に形成され、底部３０と、少なくとも周壁部２０の底部側と、を覆うように配設されている。
【００４７】
これによれば、特に、防曇性の要求、印刷が施される度合いが高い底部３０と周壁部２０の底部３０側とをカバー部４０で覆うことで、使用態様に応じて適切に対応することができる。
【００４８】
また、折り畳んだ状態で底部３０と周壁部２０との境界部分に形成される谷折り線１１ｂを、谷折り線１１ａより上側に位置させることで、収納物Ｐを収納した自立状態において、上側に位置していた谷折り線１１ｂ側に傾斜するので、包装用袋１０を平台に陳列したときに、人の目線に訴求することができる。
【００４９】
また、底部３０及び周壁部２０の下端部の内側に、吸油性及び吸水性を有する不織布６０を配設しているので、油分及び水分を有している生鮮食品や揚げ物等の総菜を収納する場合に、油分及び水分を吸収して保存状態を良好なものとすることができる。
【００５０】
本考案の包装用袋１０は上記構成に限定されるものではない。即ち、本発明の要旨を逸脱しない限り各種の設計変更等が可能である。
【００５１】
例えば、不織布６０を配設しない場合には、底部３０の左右の側端部３０ａ、３０ｂは、それぞれ、周壁部２０の左右の側端部２０ａ、２０ｂに接着され、さらに、折り曲げられて対向する底部３０の左右それぞれの側端部３０ａ、３０ｂどうしも接着される構成となる。換言すれば、重なり合う底部３０の左の側端部３０ａと周壁部２０の左の側端部２０ａとが接着され、重なり合う底部３０の右の側端部３０ｂと周壁部２０の右の側端部２０ｂとが接着されて一体化されることとなる。
【００５２】
また、カバー部４０は、周壁部２０又は底部３０のみを覆うように配設することもできる。
【００５３】
また、不織布６０は、吸油性又は吸水性のみを有する部材で形成することもできる。
【００５４】
また、印刷部８０は、底部３０又は周壁部２０にのみ配設することもできる。
【符号の説明】
【００５５】
１０  包装用袋
１１ａ  谷折り線
１１ｂ  谷折り線
１３  袋体
１３ａ  前側部
１３ｂ  後側部
２０  周壁部
２０ａ  側端部
２０ｂ  側端部
３０  底部
３０ａ  側端部
３０ｂ  側端部
４０  カバー部
４０ａ  側端部
４０ｂ  側端部
５０  開口部
６０  不織布
８０  印刷部
Ｌ１  長さ
Ｌ２  長さ
Ｐ  収納物
【図１】
0003180929.tif 000003
【図２】
0003180929.tif 000004
【図３】
0003180929.tif 000005
【図４】
0003180929.tif 000006
【図５】
0003180929.tif 000007
【図６】
0003180929.tif 000008